(57)【要約】【課題】携帯に便利であると共に簡単に焚き火をすることができる焚き火台に関し、その燃料投入口を開閉する扉の構造を改善し、耐久性に優れた扉構造を提供する。【解決手段】焚き火台１０は、脚部４１、４２を備えた皿状の灰受け部２０と、灰受け部２０の上部に設けられる火格子３１、３２と、灰受け部２０及び火格子３１、３２の上部周縁に設けられる囲み板６１、６２、６３、６４とを備える。前面板６１は、開口６８の近傍に一対の開口側スリット６６、６７を備える。扉９１は、板材を加工して形成され、その両側部が９０°折り曲げられて一対の挿入部９２、９３が形成される。挿入部９２、９３を開口側スリット６６、６７に差し込むことによって開口６８を閉塞する。【選択図】図５
2010243043.tif 000002
【特許請求の範囲】
【請求項１】
脚部を備えた皿状の灰受け部と、該灰受け部の上部に設けられる火格子と、前記灰受け部の上部周縁に設けられる囲み板とを備える焚き火台において、前記囲み板の一部に設けられた開口を開閉するための焚き火台の扉構造であって、
前記扉は、金属の板材を加工して形成されるものであり、その両側部が９０°折り曲げられて一対の挿入部が形成され、
前記囲み板は、前記開口の近傍に一対の開口側スリットを備え、
前記扉の前記挿入部を前記開口側スリットに差し込むことによって前記開口を閉塞することを特徴とする焚き火台の扉構造。
【請求項２】
前記挿入部が、折り曲げ部の近傍に下方に開放された扉側スリットを備え、前記開口側スリットと前記扉側スリットとを互いに差し込むように嵌め込むことにより、前記扉を閉塞状態に固定することを特徴とする請求項１に記載の焚き火台の扉構造。
【請求項３】
前記挿入部の下端部が更に折り曲げられて、前記扉が前記開口側スリットから外れないように形成されていることを特徴とする請求項１又は２に記載の焚き火台の扉構造。
【請求項４】
前記囲み板及び前記扉が、ステンレスの板を素材としてなることを特徴とする請求項１乃至３の何れかに記載の焚き火台の扉構造。
【発明の詳細な説明】
【技術分野】
【０００１】
本発明は、携帯に便利であると共に、簡単に焚き火をすることができる焚き火台に関し、特に、その燃料投入口を開閉する扉の構造に関する。
【背景技術】
【０００２】
屋外でバーベキューや鍋料理等の調理を行うキャンプ用品として、カセットガスコンロや炭火コンロが多く用いられている。これらは、その型式や大きさ等を適宜選択することにより、様々な規模で様々な調理に要求される火力を提供することができる。また、車等での持ち運びが便利となるように、多くのものは、コンパクトに折り畳みができるようになっている。
【０００３】
例えば、特許文献１には、コンパクトに折り畳むことができる携帯コンロの一例が記載されている。図７に示すように、特許文献１に記載されている携帯コンロ１１０は、複数の金属の板材を組み合わせることにより、組み立てと分解とを繰り返し行うことができる構成となっている。
【０００４】
この携帯コンロ１１０は、上面に火格子１３０を備え略矩形の皿状に形成された灰受け部１２０と、火格子１３０の上部周縁に設けられる囲み板とを備えている。火格子１３０は、複数の火格子孔１３５を備えている。囲み板は、前面板１６１、背面板１６２、及び側面板１６３、１６４を組み合わせて構成され、火格子１３０の周囲を取り囲むように形成されている。そして、この囲み板の内側が、燃料を燃焼させる燃焼室を形成している。
【０００５】
前面板１６１及び背面板１６２は、側面板１６３、１６４の間に差し込まれて組み立てられている。したがって、分解するときには、前面板１６１及び背面板１６２を側面板１６３、１６４の間から引き抜いて、外すことができる。また、一対の側面板１６３、１６４は、夫々灰受け部１２０の両端に回転軸１２１、１２２で連結されており、灰受け部１２０に対して回動可能に形成され、折り畳み可能となっている。
【０００６】
このように構成された携帯コンロ１１０は、不使用時にはコンパクトに折り畳んで車等に収納することができる。また、使用時には、図７に記載された状態に組み立てて、火格子１３０の上で木炭等の燃料を燃やすことができる。そして、バーベキューや鍋料理等の調理を行うことができる。
【０００７】
しかしながら、この携帯コンロ１１０は、調理の最中に燃料室内に燃料を補給しようとすると、調理している鍋や食材を取り除く必要があり、原則的には調理中に燃料を補給することができない。そこで、特許文献２には、調理中に燃料を補給することができる携帯コンロが紹介されている。
【０００８】
すなわち、図８に示すように、特許文献２に記載された携帯コンロ１１１は、前面板１６１及び背面板１６２に、側面板１６３の上部を回転軸１２１で懸架して、矢印の方向に回動可能としたものである。これによって、調理中に側面板１６３を回動して、燃料室に燃料を補給することができる。
【０００９】
しかしながら、金属材料は、高温に曝されると熱膨張による変形を起こし、このような回動機構は作動不良となることが多い。特に、携帯できるよう軽量化を目的として、薄い金属板材を使用した場合には、変形が著しくなって回動が困難となり、破損し易くなり、耐久性が大きな問題となる。
【先行技術文献】
【特許文献】
【００１０】
【特許文献１】２００１−４１４５５号公報
【特許文献２】２００３−８８４７６号公報
【発明の概要】
【発明が解決しようとする課題】
【００１１】
この発明が解決しようとする課題は、携帯に便利であると共に簡単に焚き火をすることができる焚き火台に関し、その燃料投入口を開閉する扉の構造を改善し、耐久性に優れた扉構造を提供することにある。そして、バーベキューや鍋料理等の調理を行うことができると共に、コンパクトに折り畳んで携帯できる焚き火台を提供することである。
【課題を解決するための手段】
【００１２】
本発明の請求項１に係る焚き火台の扉構造は、脚部を備えた皿状の灰受け部と、該灰受け部の上部に設けられる火格子と、前記灰受け部の上部周縁に設けられる囲み板とを備える焚き火台において、前記囲み板の一部に設けられた開口を開閉するための焚き火台の扉構造であって、前記扉は金属の板材を加工して形成されるものであり、その両側部が９０°折り曲げられて一対の挿入部が形成され、前記囲み板は前記開口の近傍に一対の開口側スリットを備え、前記扉の前記挿入部を前記開口側スリットに差し込むことによって前記開口を閉塞する手段を採用している。
【００１３】
また、本発明の請求項２に係る焚き火台の扉構造は、請求項１に記載の焚き火台の扉構造であって、前記挿入部が、折り曲げ部の近傍に下方に開放された扉側スリットを備え、前記開口側スリットと前記扉側スリットとを互いに差し込むように嵌め込むことにより、前記扉を閉塞状態に固定する手段を採用している。また、本発明の請求項３に係る焚き火台の扉構造は、請求項１又は２に記載の焚き火台の扉構造であって、前記挿入部の下端部が更に折り曲げられて、前記扉が前記開口側スリットから外れないように形成されている手段を採用している。さらに、本発明の請求項４に係る焚き火台の扉構造は、請求項１乃至３の何れかに記載の焚き火台の扉構造であって、前記囲み板及び前記扉が、ステンレスの板を素材としてなる手段を採用している。
【発明の効果】
【００１４】
本発明の焚き火台の扉構造は、扉が回転軸を中心に回動するものではなく、扉の両側に設けられた挿入部が開口側スリットを出入するものである。したがって、熱膨張によって板材が多少変形しても、扉の作動には何ら支障をきたすことがない。また、挿入部に扉側スリットを設けた場合には、扉を閉塞状態で固定することができる。さらに、扉が開口側スリットから外れないようにすることにより、回転軸を用いた場合と同様に良好な開閉をすることができる。
【図面の簡単な説明】
【００１５】
【図１】本発明の焚き火台の組み立てられた状態を示す概略斜視図である。
【図２】図１に示す焚き火台の折り畳まれた状態及び一対の側面板の開閉状態を示す概略斜視図である。
【図３】図１に示す焚き火台の折り畳まれた状態及び一対の脚部の開閉状態を示す概略斜視図である。
【図４】図１に示す焚き火台で、前面板及び背面板の取付け手順を示す概略斜視図である。
【図５】図１に示す焚き火台で、火格子、五徳及び扉の取付け手順を示す概略斜視図である。
【図６】扉の開閉を示す説明図であり、図６（ａ）は開口を閉塞して扉が固定された状態を示し、図６（ｂ）は扉を少し持ち上げて回動可能とした状態を示し、図６（ｃ）は扉を回動して全開となった状態を示す。
【図７】従来の携帯コンロの一例を示す概略斜視図である。
【図８】従来の携帯コンロの他の一例を示す概略正面図である。
【発明を実施するための形態】
【００１６】
本発明者は、落ち葉や枯れ木等を燃焼させる焚き火台の開発を行い、特に、金属の薄い板材を用いること、携帯できるように折り畳んでコンパクトにすること、燃焼効率を向上させること、耐久性に優れた扉構造とすること等について鋭意研究を重ねた。その結果、扉構造に関しては、従来の蝶番のように回転軸を用いることなく、略９０°開閉することができる本発明の扉構造を完成した。
【００１７】
本発明の実施の形態について、図１〜図６を参照して詳細に説明する。図１は、本発明の焚き火台１０を組み立てて、使用可能とした状態を示している。この焚き火台１０は、金属の平板を素材とし、切断、打ち抜き、曲げ加工等を施して製作されている。また、分解と組み立てを繰り返し行えるように、２つの部材にスリットを設けて、互いのスリットを差し込んで嵌め込むことにより固定する方式を採用している。
【００１８】
この焚き火台１０は、脚部４１、４２を備えると共に略矩形の皿状に形成された灰受け部２０と、灰受け部２０の上部周縁に設けられる前面板６１、背面板６２、側面板６３、６４からなる囲み板を備えている。前面板６１には、扉９１が取付けられて、開閉可能となっている。また、囲み板の上には、好みの位置に五徳８１、８２を設けることができる。
【００１９】
図２は、本発明の焚き火台１０を折り畳んで持ち運び可能とした状態を示している。折り畳み状態では、全体が薄い箱状となり、内部に主要部品（前面板６１、背面板６２、火格子３１、３２、五徳８１、８２）を納めることができる。対向する広い２面の内、一方の面は、一対の側面板６３、６４で形成されている。一対の側面板６３、６４は、灰受け部２０の両端に回転軸２１、２２で連結されており、夫々灰受け部２０に対して略９０°回動させて、灰受け部２０に対して略垂直の状態に起立させることができる。
【００２０】
図３は、図２を裏返した状態で、他方の面を上にして示している。他方の面は、一対の脚部４１、４２で形成されている。２つの脚部４１、４２は、灰受け部２０の両端に回転軸２１、２２で連結されており、夫々灰受け部２０に対して略１００°回動させて、灰受け部２０に対して垂直よりも少し開いた状態に開脚させることができる。これにより、灰受け部２０を、脚部４１、４２の長さだけ地上から離して位置させることができる。
【００２１】
図４は、脚部４１、４２を開脚させ、側面板６３、６４を略垂直に起立させた状態を示している。側面板６３の両側には、上方に開放されたスリット７３、７３が形成され、側面板６４の両側には、上方に開放されたスリット７４、７４が形成されている。そして、前面板６１の両側には、下方に開放されたスリット７１、７１が形成され、背面板６２の両側には、下方に開放されたスリット７２、７２が形成されている。
【００２２】
前面板６１のスリット７１、７１は、夫々側面板６３のスリット７３及び側面板６４のスリット７４に噛合うように形成されている。したがって、前面板６１の一方のスリット７１と側面板６３のスリット７３とを互いに差し込むように嵌め込み、前面板６１の他方のスリット７１と側面板６４のスリット７４とを互いに差し込むように嵌め込んで、前面板６１を２つの側面板６３、６４の間に固定させることができる。
【００２３】
また、背面板６２のスリット７２、７２は、夫々側面板６３のスリット７３及び側面板６４のスリット７４に噛合うように形成されている。したがって、背面板６２の一方のスリット７２と側面板６３のスリット７３とを互いに差し込むように嵌め込み、背面板６２の他方のスリット７２と側面板６４のスリット７４とを互いに差し込むように嵌め込んで、背面板６２を２つの側面板６３、６４の間に固定させることができる。
【００２４】
このようにして、前面板６１、背面板６２、側面板６３、６４を、灰受け部２０の上部周縁を取り囲むように組み立て、囲み板とすることができる。そして、前面板６１、背面板６２、側面板６３、６４からなる囲み板の内部に、落ち葉や枯れ木を燃焼させる燃焼室が形成される。
【００２５】
図５は、火格子３１、３２、五徳８１、８２、及び扉９１の取付け手順を示している。火格子３１、３２は、略同型に形成されて、灰受け部２０の上に載置することができる。五徳８１、８２は、前面板６１、背面板６２、側面板６３、６４の上部に適宜配置することができる。また、前面板６１には扉９１を取付けておくことができる。
【００２６】
火格子３１、３２は、複数の火格子孔５１及び５３を備えている。火格子孔５１は平板に普通に開孔したものである。また、火格子孔５３は、その周縁がエンボス加工により上方へ浮き出されて形成されている。ここでは、火格子孔５１と火格子孔５３とが、縦横に交互に配置された例を示しているが、どの様な配置をすることも可能である。
【００２７】
火格子３１、３２の周縁端部には、下方に折り曲げられて形成された端側部３５を備えている。そして、端側部３５の高さによって、火格子３１、３２の上面と灰受け部２０との間が所定の距離に形成されている。端側部３５には複数の風孔５５が設けられ、外気を火格子３１、３２の下側に導入することができる。灰受け部２０の周囲にも、複数の風孔２５が設けられている。したがって、外気は風孔２５、５５を通過して、火格子３１、３２の下側に導入され、火格子孔５１、５３から燃焼室内に流入することになる。
【００２８】
囲み板にも風孔が設けられている。すなわち、前面板６１には複数の風孔７５が、背面板６２には複数の風孔７６が、側面板６３、６４には複数の風孔７７、７８が設けられている。したがって、外気は、風孔７５、７６、７７、７８からも大量に燃焼室内に導入される。
【００２９】
このように、火格子孔５１、５３及び囲み板に設けられた風孔７５、７６、７７、７８から導入される外気によって、落ち葉や枯れ木等が燃焼される。ここで、火格子孔５１、５３は、外気の導入に極めて良好に作用して、燃焼室内の最下層にある落ち葉や枯れ木の燃焼を促進する。そして、燃焼室内の全体に良好な対流を発生させ、優れた燃焼効率が得られるので、立消えを起こすことがない。
【００３０】
五徳８１、８２には、下方に開放されたスリット８５が設けられている。そして、前面板６１、背面板６２、側面板６３、６４の上部にも、上方に開放されたスリット６５が設けられている。そして、五徳８１、８２のスリット８５と、囲み板に設けられたスリット６５とを互いに差し込むように嵌め込むことにより、五徳８１、８２を囲み板の上部に取付けることができる。
【００３１】
図１及び図５に示すように、前面板６１には扉９１が設けられ、開口６８を自在に開閉することができる。すなわち、前面板６１には、縦方向に一対の開口側スリット６６、６７が形成されている。扉９１は、その両側部が内側に９０°折り曲げられて一対の挿入部９２、９３が形成されている。この挿入部９２、９３を開口側スリット６６、６７に差し込むことにより、開口６８を閉塞することができる。さらに、挿入部９２、９３の下端部９４、９５を９０°折り曲げて、扉９１が前面板６１から外れないようにしている。
【００３２】
挿入部９２、９３の折り曲げ部の近傍には、下方に開放された扉側スリット９６、９７が設けられている。扉９１を閉じた状態では、開口側スリット６６、６７と扉側スリット９６、９７とを互いに差し込むように嵌め込んで、固定することができる。また、扉９１を閉じた状態から扉９１を少し持ち上げると、開口側スリット６６、６７と扉側スリット９６、９７との噛み合いが外れて、扉９１を手前に回動させることができる。したがって、焚き火中に、落ち葉や枯れ木等の燃料を追加投入することができる。
【００３３】
扉９１の開閉について図６により説明する。図６（ａ）は、扉９１が、開口６８を閉塞して固定された状態を示している。このとき、扉９１の挿入部９２、９３は、開口側スリット６６、６７に差し込まれている。また、扉側スリット９６、９７が、開口側スリット６６、６７の下端に互いに差し込まれたように嵌め込まれて、固定されている。
【００３４】
そこで、図６（ａ）に矢印で示すように、手で摘み９９を少し上に持ち上げると、図６（ｂ）に示すように、開口側スリット６６、６７と扉側スリット９６、９７の嵌め合いが外れて、図６（ｂ）に矢印で示すように、扉９１が手前に回動することになる。そして、図６（ｃ）に示すように、扉９１が全開の状態になると、扉９１の挿入部９２、９３の折り曲げられた下端部９４、９５が前面板６１に係止して、扉９１の姿勢が保持される。
【００３５】
したがって、本発明の焚き火台の扉構造は、従来の回転軸を用いる蝶番と同様に、開閉自在であり、全開及び全閉の状態を保持することができる。そして、熱膨張によって板材が多少変形しても、その作動に何ら支障をきたすことはない。
【００３６】
本発明の焚き火台１０は、使用の度に、スリットを用いて部材の組み立てと分解を繰り返すこと、高温の火炎に接触すること、等の理由から耐久性のある素材を使用することが好ましい。したがって、灰受け部２０、火格子３１、３２、囲み板６１、６２、６３、６４、扉９１、五徳８１、８２等、全てステンレスの板材を素材とすることが好ましい。
【符号の説明】
【００３７】
１０    焚き火台
２０、１２０    灰受け部
２１、２２、１２１、１２２    回転軸
２５、５５、７５、７６、７７、７８    風孔
３１、３２、１３０    火格子
３５    端側部
４１、４２    脚部
５１、５３、１３５    火格子孔
６１、１６１    前面板（囲み板）
６２、１６２    背面板（囲み板）
６３、６４、１６３、１６４    側面板（囲み板）
６５、７１、７２、７３、７４、８５    スリット
６６、６７    開口側スリット
６８    開口
８１、８２    五徳
９１    扉
９２、９３    挿入部（側部）
９４、９５    下端部
９６、９７    扉側スリット
９９    摘み
１１０、１１１    携帯コンロ
【図１】
2010243043.tif 000003
【図２】
2010243043.tif 000004
【図３】
2010243043.tif 000005
【図４】
2010243043.tif 000006
【図５】
2010243043.tif 000007
【図６】
2010243043.tif 000008
【図７】
2010243043.tif 000009
【図８】
2010243043.tif 000010